(57)【要約】【課題】透かし彫りの陶磁器を高度の技術を要することなく簡単に製作できるようにすると共に、透かしを重層させてデザインのバリエーションを豊富にする。【解決手段】抜きパターン４１が幅約３ｍｍの縁４２を設けて縦横に複数設けられたテンプレート４を粘土板（タタラ）３に載せ、針等の鋭利な道具で抜き型の輪郭に沿って粘土を切り抜いて透かし板３１を得る。この透かし板３１の縁３２の交点３３に他の透かし板の縁３２を位置させて重ね合わせて重層させ、重ね合わせた透かし板３１を所望の形状に組合わせる。曲面が必要な場合は、凹面の型によって透かし板を曲面に形成する。組み上げて所望の形状としたものを乾燥し、釉かけ、焼成して透かし彫りの陶磁器を得る。【選択図】図２
2013043289.tif 000002
【特許請求の範囲】
【請求項１】
形成する透かしの周囲に一定幅の縁を残して粘土板を切り抜き、または抜き取って透かし板を作成し、異なる抜きパターンを形成した別の透かし板を重ね合わせ、重ね合わせた透かし板を単独または組合わせて所望の形状とする透かし彫り陶磁器の製造方法。
【請求項２】
請求項１において、透かし板に形成された縁の交点に別の透かし板の縁を位置させて重ね合わせる透かし彫り陶磁器の製造方法。
【請求項３】
請求項１または２のいずれかにおいて、粘土板に形成したパターンの縁の幅が少なくとも３ｍｍである透かし彫り陶磁器の製造方法。
【請求項４】
複数の抜きパターンの周囲に一定幅の縁を残して配列してある透かし陶磁器製造用のテンプレート。
【発明の詳細な説明】
【技術分野】
【０００１】
本発明は、透かし彫り陶磁器の製造方法に関し、透かしを重層構造とするものであり、デザイン性に優れ、繊細さを表現することができる透かし彫り陶磁器の製造方法に関する。
【背景技術】
【０００２】
従来、陶磁器の透かし彫りは、原材料の粘土を花瓶、鉢、皿等の所望の形状に成形し、粘土が柔らかい間に透かしとなる部分を剣先で彫り抜いて形成していた。
【０００３】
精緻な透かし彫りとして、薩摩焼の沈寿官による伝統技法等があり、香炉等の器全体に亀甲模様の透かし彫りを施したものなどがあるが、透かしは、成形した粘土を彫り抜くものであって高度の技術を要するものである。
【０００４】
特許文献１（特開２０１１−１４０４１７号公報）には、竹細工や編み目細工の外観を得るため、粘土を付着させた糸で透かし模様を作成し、焼成する方法が開示されている。
【先行技術文献】
【特許文献】
【０００５】
【特許文献１】特開２０１１−１４０４１７号公報
【発明の概要】
【発明が解決しようとする課題】
【０００６】
従来の透かし彫り陶磁器においては、成形した粘土を彫り込んで透かしを形成するものであり、透かしは１層しか形成することができず、透かしを何層にも重ねた複雑なものを作成することは技術的に不可能であった。また、特許文献１に記載の方法は、竹細工などのように細い線を表現するためのものであり、高度な技量と多くの時間が必要とされ、誰でも簡単には実施できない技法である。
【０００７】
本発明は、前述の従来技術の欠点を解消し、高度の技能を必要とすることなく簡単に透かしを形成できるようにすると共に、透かしを重層構造として複雑な透かしを形成することができるようにし、デザイン性に優れ、繊細な形状を有する透かし彫り陶磁器を製作できるようにするものである。
【課題を解決するための手段】
【０００８】
粘土板（タタラ）を抜きパターンに従って一定幅の縁を残して切り抜いて透かし板を複数作成し、この透かし板の抜きパターンを組合わせて重層構造の透かしとなるように透かし板を重ね合わせて一体化し、この重ね合わせた透かし板を組合わせて所望の形状とするものである。
【０００９】
透かし板の重ね合せの枚数は特に限定されないが、３枚以上重ね合わせると透かしの領域が少なくなり趣に欠けるようになるが、粘土板を薄くすることによって５枚程度までの重ね合せが可能である。
【００１０】
重ね合わせた透かし板は、平板のまま、または、整形型を利用して曲面に形成したり、円筒に巻き付けて筒状にするなど自由に所望の形状に形成することが可能である。
【００１１】
重ね合わせた透かし板の組み立ての際の接着は、接着面に泥漿（ドベ）を塗って貼り合わせ、意図したデザインの形状とする。組み立て整形を完了したら、通常の陶磁器と同様に、乾燥させ、釉かけして焼き上げる。
【００１２】
粘土板に透かしを切り抜くには、同一の抜きパターンが一定幅の縁を設けて繰り返してあるテンプレート（型板）を粘土板の上に載せ、抜きパターンに沿って小刀や針、または剣先などで粘土を切り抜く。
【００１３】
また、粘土に効率的に透かしを形成するには、抜きパターンを切り抜くのではなく、抜き型を粘土板に押し付けて抜きパターンを抜き取るのがよく、更に抜き型を縦横に複数連続させた抜き型を使用することによって効率よく透かし板が得られるので、大量生産には向いている。
【００１４】
このようにして製造した複数の透かし板を貼り合わせて抜きパターンが重層された複雑な形状の透かしを形成することができる。
【００１５】
透かし板の貼り合わせに当たっては、貼り合わせ部分の表面を目荒ししてから、泥漿を塗って貼り合わせるのが好ましい。
【００１６】
透かし板を使用して函体などの立体に形成するには、函体を構成する透かし板の接合端面を接合角度に合わせて切り取り、接合面に泥漿を塗って組み立て接合することによって角を綺麗に仕上げることができる。
四角形の場合は、透かし板の交差角は９０°であるので、端面を４５°に形成する。
【００１７】
透かし板が柔らかい間に円筒状の中子に巻き付けて端部を接合することによって円筒形の陶磁器が得られる。接合部において透かしの形状が途切れないように粘土板に抜きパターンを形成することが必要である。
【００１８】
凹面状の整形用の型に透かし板を押し当てて整形すると、透かし部分にひび割れや破断を生ずることなく凹面に合致した曲面状の透かし板を得ることができる。
【発明の効果】
【００１９】
型板を使用して粘土板を縁を残して抜きパターンを抜いて透かし板とし、この透かし板を重ね合わせて重層構造としたものであるので、高度の技量を必要とせず、陶芸の初心者でも透かし彫りの陶磁器を製作することができる。
単純な形状のパターンを抜いた透かし板を重ね合せることによって重層の透かしが形成され、複雑な透かし彫りが得られ、繊細なデザインの陶磁器が得られる。
【００２０】
更に、透かし板に形成された透かしの縁の交点に他の透かし板の縁を位置させて重ね合わせてあるので、強度が低く変形しやすい細い幅の縁が形成されている透かし板であっても、変形しやすい縁の交点が補強されているので、組立作業中に透かし板が変形したり、また、焼成によって透かしが変形したり、破壊されることが防止され、意図した透かし彫りを完全な形で得ることができる。
【図面の簡単な説明】
【００２１】
【図１】本発明の製法に従って作成した陶磁器の斜視図。
【図２】本発明の製法の工程説明図。
【図３】型抜きによる透かし板の製作概念図。
【図４】テンプレートの組合せの実施例。
【図５】テンプレートの組合せの他の実施例。
【図６】曲面透かし板の製造方法の説明図。
【図７】円形テンプレート実施例。
【図８】円形テンプレートを使用した透かし彫り皿の実施例。
【発明を実施するための形態】
【００２２】
本発明を図面に基づいて説明する。
図１は、本発明に従って製作した陶磁器製枕元灯１の完成斜視図であり、透かし２を４つの側面１１及び天板１２に有し、天板１２は蓋として取り外し可能としてあり、電球の交換時に使用するものである。
【００２３】
側面１１及び天板１２の透かし２から光が漏れ出るようにしたものであり、透かし２を形成した４つの側面１１は、照明具の形状寸法に合わせた粘土板３から抜きパターンを切り取って透かし２を形成した透かし板３１を箱状に接合し、蓋となる天板１２は頂面を部分的に曲面状に整形して透かし２を形成したものである。透かし２を形成した透かし板３１を組み立てて焼成し、釉薬をスプレーで塗布したものである。
【００２４】
本発明の陶磁器の製造方法の手順を説明する。
図２（１）に示すように厚さ５ｍｍ程度の粘土板（タタラ）３を製作する物品の構成部材に合わせて粘土板３を切り取る。図１の枕元灯の場合は、箱状であるので、４つの側面、天板、及び底板が必要であり、製作する物品の寸法に粘土板３を切り取る。透かし２を設ける部分を二層とする場合は、その部分の粘土板は２枚ずつ必要なので、４つの側面に対して粘土板３を各面２枚ずつ、合計８枚の粘土板３と、透かし２を設ける天板用の粘土板を２枚、底板用に１枚準備する。
【００２５】
図４及び図５に示すものは、透かし２を粘土板３に形成するために使用する抜きパターン４１を複数繰り返して形成してあるテンプレート４であり、三角形、菱形、台形、六角形、または円形などの抜きパターン４１が繰り返し形成されたものである。テンプレート４は、自作する場合は厚紙を利用して作成することによって独自の抜きパターン４１を形成することができる。テンプレート４の基板は、厚紙に限らず、プラスチックや金属板でもよく、その厚さは粘土板３を切り抜く際に、抜きパターン４１に切り抜き用のカッターや針が正確に追随できるものであればよく、取り扱いや整理保存を容易にするには、１〜５ｍｍとするのが好ましい。
【００２６】
抜きパターン４１、４１の間には透かし２の縁取りとなる幅３〜５ｍｍ程度の縁線４２が形成してある。この縁線４２が透かし２の縁となるものであり、透かし２の繊細さを表現することができるようにするためには幅が細いものがよいが、あまり細くすると強度的に弱くなり、透かし２を粘土板に形成した透かし板３１の組み立ての際に変形したり、また、焼成の際に破損するので、３ｍｍ以上とするのが好ましい。
【００２７】
複数の抜きパターンを重ね合わせて重層させた透かし２を形成するので、それらの上下関係を示すマークをテンプレート４に付すと共に抜きパターン４１に従って粘土を切り取って形成した透かし板３１にマークを付しておくことにより、上下左右を取り違えて重ね合わせてしまうことを防止できる。
【００２８】
図２（３）に示すように、準備した粘土板３に形成する透かし２に従ってテンプレート４を選択して粘土板３の上に載せ、極細の剣先やカッターで抜型に沿って切りこんで、縁４２に対応する部分の粘土を残して抜きパターン４１の部分の粘土を取り除いて図２（４）に示す透かし板３１を形成する。
テンプレート４の抜きパターン４１に対応する粘土板の部分が透かし２となり、縁４２に対応する部分が縁３２となり、縁３２の交差する部分が交点３３である。
【００２９】
テンプレート４を使用して粘土板３を抜きパターン４１に従って切り取る方法に代え、図３に示すように透かしの形状に合わせた抜き型４５を使用し、テンプレート４に従って粘土板１に抜き型４５を押し当てて透かし２となるパターンを粘土板３から除去するようにしてもよい。また、粘土板３の全体を抜き取ることができる抜き型を使用すれば、粘土板３から透かし板３１を形成する効率を上げることができる。
【００３０】
図２（５）に示すように、異なる抜きパターン４１のテンプレート４を使用して作成した透かし板３１、３１を重ね合わせる。予め重ね合わせた際の透かし２を想定してテンプレート４を選択する。
例えば、図４（ａ）に示す六角形と三角形の抜きパターン４１が繰り返されているテンプレート４と、図４（ｂ）の三角形の抜きパターンが繰り返されているテンプレート４を使用して作成した透かし板３１を重ね合わせると、図４（ｃ）に示すように、六角形の透かしを通して＊印の縁が見え、六角形の中には更に小さな６個の三角形の透かし２が形成されており、複雑な透かし２が形成されることになる。
【００３１】
図５に示すテンプレート４は、図５（ａ）の斜め４５度の四角形を配列したテンプレート４と図５（ｂ）の四角形を縦横に配列したテンプレート４であり、両者を重ね合わせると、図５（ｃ）に示すように、格子体の上に斜め格子体が配置され、三角形の透かし２が形成される。
本発明の方法によれば、透かし板４を重ね合わせることによって粘土板３に形成した抜きパターン４１に従った透かしよりも小さな形状の透かしとなるので、観る者に精細な透かし模様が施されているように見えることになる。
【００３２】
製作する製品に曲面部分を設けることによって更にデザインのバリエーションを増加させることができる。
図６は、重ね合わせた透かし板３１を曲面に整形するための、凹面５１を有する整形型５である。
整形型５の内部の凹面５１に透かし板３１をいれて凹面５１に透かし板３１に密着するようにゆっくりと変形させて曲面状の部材とする。
【００３３】
製品の構成部材の準備が整ったところで各部材をつなぎ合わせて所望の形状の製品に仕上げる。
透かし板３１の接合部となる部分は端部処理をおこなう。四辺形の箱状とする場合は透かし板３１の端面の角度を４５度とし、接合部に突起や凸凹ができないようにし、組合わせた各部材の透かし板３１がきれいな四角形となるように、接合部の表面を目荒しして泥漿を塗って接合し、角部を整形して仕上げる。
図１の枕元灯１は、以上の手順で構成部材を準備し、天板は図６に示した凹面型５を使用して上に凸となる曲面に仕上げ、側面部材は四角形に接合して組み上げ、底板には、電源コードの導入口を形成して四角形の底部に貼り付け、四角形の上端は蓋となる天板が嵌るように段差を形成してある。
【００３４】
図７は、皿などの円形の製品の作成に使用するテンプレート４であり、抜きパターン４１は、図４と同じものであるが、円形としたときの周縁部の透かし２が滑らかな形状となると共に、全体のバランスを考慮して抜きパターン４１の配列を決定する。また、抜きパターン４１の縁４２の強度が保持できるように、縁４２の終端が交点となるように配列するのが好ましい。
このテンプレート４を使用して作成した透かし彫り皿１０を図８に示す。
【符号の説明】
【００３５】
１    陶磁器
１０  透かし彫り皿
２    透かし
３    粘土板（タタラ）
３１  透かし板
４    テンプレート
４１  抜きパターン
４２  縁
４３  交点
５    整形型
５１  凹面
【図２】
2013043289.tif 000003
【図３】
2013043289.tif 000004
【図４】
2013043289.tif 000005
【図５】
2013043289.tif 000006
【図６】
2013043289.tif 000007
【図１】
2013043289.tif 000008
【図７】
2013043289.tif 000009
【図８】
2013043289.tif 000010
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
複数の抜きパターンが形成してあるテンプレートを粘土板に載せ、抜きパターンに従って一定幅の縁を残して粘土板を切り抜き、または抜き取って透かし板を作成し、この透かし板に異なる抜きパターンの別のテンプレートを使用して形成した透かし板を重ね合わせ、重ね合わせた透かし板を単独または組合わせて所望の形状とする透かし彫り陶磁器の製造方法。
【請求項２】
請求項１において、透かし板に形成された縁の交点に別の透かし板の縁を位置させて重ね合わせる透かし彫り陶磁器の製造方法。
【請求項３】
請求項１または２のいずれかにおいて、粘土板に形成したパターンの縁の幅が少なくとも３ｍｍである透かし彫り陶磁器の製造方法。
【請求項４】
複数の抜きパターンの周囲に一定幅の縁を残して配列してある厚紙製の透かし陶磁器製造用のテンプレート。